(57)【要約】【課題】  連結部を備える装身具の連結部を保護し、連結部を手で持ちやすくし、連結部の見栄えを向上させ、さらには、連結部を境とし一方の部分が他方に対して回転してしまうことを防止することができるカバー体を提供する。【解決手段】  第１及び第２の環状体５，４を鎖状に連結してなる連結部５０を備える装身具１５０における連結部５０を被覆するカバー体１００である。連結部５０に外挿される十字型の凹室１０を備え、凹室１０が連結部５０に外挿されることにより、第１の環状体５、第２の環状体４及び当該カバー体１００を相互に回転不能にして連結部５０を被覆する。【選択図】    図１
2006198347.tif 000002
【特許請求の範囲】
【請求項１】
第１及び第２の環状体を鎖状に連結してなる連結部を備える装身具における前記連結部を被覆するカバー体であって、
前記連結部を被覆することにより、前記第１の環状体、前記第２の環状体及び当該カバー体が相互に回転不能となるような形状とされていることを特徴とするカバー体。
【請求項２】
第１及び第２の環状体を鎖状に連結してなる連結部を備える装身具における前記連結部を被覆するカバー体であって、
前記連結部に外挿される十字型の凹室を備え、
前記凹室が前記連結部に外挿されることにより、前記第１の環状体、前記第２の環状体及び当該カバー体を相互に回転不能にして前記連結部を被覆することを特徴とするカバー体。
【請求項３】
第１及び第２の環状体を鎖状に連結してなる連結部を備える装身具における前記連結部を被覆するカバー体であって、
前記第１及び第２の環状体のうちの何れか一方の環状体に外挿される凹室を備え、
前記凹室の両側面には、何れか他方の環状体が挿入される一対の切欠部が形成され、
前記凹室を前記何れか一方の環状体に外挿するとともに、前記一対の切欠部に前記何れか他方の環状体を挿入することにより、前記第１の環状体、前記第２の環状体及び当該カバー体を相互に回転不能にして前記連結部を被覆することを特徴とするカバー体。
【請求項４】
当該カバー体を前記連結部より抜け止めするための爪状部が前記凹室の開口端部に形成され、
当該カバー体により前記連結部を被覆した後に、前記爪状部を折り曲げ加工することにより、当該カバー体が前記連結部より抜け止めされることを特徴とする請求項請求項１乃至３の何れか一項に記載のカバー体。
【請求項５】
線材を挿通させる第１の穴が当該カバー体の内外を貫通して形成されているとともに、
前記第１の穴に対して交差する第２の穴が、当該カバー体の内部で前記第１の穴と交わるようにして、当該カバー体の内外を貫通して形成され、
前記線材を、前記第１の穴を介して当該カバー体の外部から内部に導き前記第１及び第２の環状体のうち一方に絡めた状態で、前記第２の穴内に止着部材を挿入することにより、該止着部材により該線材を当該カバー体に対して固定したことを特徴とする請求項１乃至４の何れか一項に記載のカバー体。
【請求項６】
前記止着部材は、前記カバー体に螺入されるボルトピンであることを特徴とする請求項５に記載のカバー体。
【請求項７】
前記止着部材は、前記カバー体に嵌入されるテーパーピンであることを特徴とする請求項５に記載のカバー体。
【請求項８】
当該カバー体には、装飾が施されていることを特徴とする請求項１乃至７の何れか一項に記載のカバー体。
【請求項９】
第１及び第２の環状体を鎖状に連結してなる連結部を備え、前記連結部には、請求項１乃至８の何れか一項に記載のカバー体が被覆されていることを特徴とする装身具。
【請求項１０】
複数個の前記連結部を備え、各連結部には、それぞれ請求項１乃至８の何れか一項に記載のカバー体が被覆されていることを特徴とする請求項９に記載の装身具。
【発明の詳細な説明】
【技術分野】
【０００１】
本発明は、カバー体及びこれを備える装身具に関する。
【背景技術】
【０００２】
図１８は従来の装身具１０００を示す要部拡大図であり、図１９は装身具１０００における連結部の構造を示す斜視図である。
【０００３】
図１８に示すように、装身具１０００は、留め金具（クラスプ）１００１と、この留め金具１００１に連結された装飾部材１００２と、を備えて構成されている。
【０００４】
留め金具１００１と装飾部材１００２とは、複数の環状体（例えば、２つの環状体４，５）からなる連結部５０により連結されている。
【０００５】
ここで、連結部５０を構成する環状体４と環状体５は、図１９に示すように、鎖状に連結されている。
【発明の開示】
【発明が解決しようとする課題】
【０００６】
従来は、図１８に示すように、留め金具１００１と装飾部材１００２とを連結する連結部５０が外部に露出していたため、連結部５０が外部からの衝撃により損傷してしまう可能性があり、特に、連結部５０に対して装飾部材１００２を連結する連結糸（例えば、ネックレスの芯糸など）の損傷や汚れが問題となる。
【０００７】
また、連結部５０を手でもって留め金具１００１の着脱操作を行うのは操作性が悪いという問題もあった。
【０００８】
更に、連結部５０が外部に露出していたため、装身具１０００の見栄えが悪かった。見栄えが悪いと、装身具１０００の価値が下がるという問題もあった。
【０００９】
また、留め金具１００１或いは装飾部材１００２は、表と裏のデザインに違いがある場合がある。この場合、連結部５０を境として、留め金具１００１或いは装飾部材１００２のうちの一方が他方に対して回動し裏返ってしまうと、デザインの裏側が見え、表側が見えなくなってしまうという問題があった。
【００１０】
本発明は、上記のような問題点を解決するためになされたもので、連結部を備える装身具の連結部を保護することができるとともに、連結部に連結された留め金具などの操作性を高めることができ、更に、装身具の見栄え及びデザイン性を向上させることにより商品価値を高めることができ、連結部を境とし一方の部分が他方に対して回動してしまうことを防止することができる連結部のカバー体及びこれを備える装身具を提供することを目的とする。
【課題を解決するための手段】
【００１１】
上記課題を解決するため、本発明のカバー体は、第１及び第２の環状体を鎖状に連結してなる連結部を備える装身具における前記連結部を被覆するカバー体であって、前記連結部を被覆することにより、前記第１の環状体、前記第２の環状体及び当該カバー体が相互に回転不能となるような形状とされていることを特徴としている。
【００１２】
また、本発明のカバー体は、第１及び第２の環状体を鎖状に連結してなる連結部を備える装身具における前記連結部を被覆するカバー体であって、前記連結部に外挿される十字型の凹室を備え、前記凹室が前記連結部に外挿されることにより、前記第１の環状体、前記第２の環状体及び当該カバー体を相互に回転不能にして前記連結部を被覆することを特徴としている。
【００１３】
また、本発明のカバー体は、第１及び第２の環状体を鎖状に連結してなる連結部を備える装身具における前記連結部を被覆するカバー体であって、前記第１及び第２の環状体のうちの何れか一方の環状体に外挿される凹室を備え、前記凹室の両側面には、何れか他方の環状体が挿入される一対の切欠部が形成され、前記凹室を前記何れか一方の環状体に外挿するとともに、前記一対の切欠部に前記何れか他方の環状体を挿入することにより、前記第１の環状体、前記第２の環状体及び当該カバー体を相互に回転不能にして前記連結部を被覆することを特徴としている。
【００１４】
本発明のカバー体においては、当該カバー体を前記連結部より抜け止めするための爪状部が前記凹室の開口端部に形成され、当該カバー体により前記連結部を被覆した後に、前記爪状部を折り曲げ加工することにより、当該カバー体が前記連結部より抜け止めされることが好ましい。
【００１５】
本発明のカバー体においては、線材を挿通させる第１の穴が当該カバー体の内外を貫通して形成されているとともに、前記第１の穴に対して交差する第２の穴が、当該カバー体の内部で前記第１の穴と交わるようにして、当該カバー体の内外を貫通して形成され、前記線材を、前記第１の穴を介して当該カバー体の外部から内部に導き前記第１及び第２の環状体のうち一方に絡めた状態で、前記第２の穴内に止着部材を挿入することにより、該止着部材により該線材を当該カバー体に対して固定したことが好ましい。
【００１６】
本発明のカバー体においては、前記止着部材は、前記カバー体に螺入されるボルトピンであることが好ましい。
【００１７】
或いは、本発明のカバー体においては、前記止着部材は、前記カバー体に嵌入されるテーパーピンであることも好ましい。
【００１８】
本発明のカバー体においては、当該カバー体に装飾が施されていることが好ましい。
【００１９】
本発明の装身具は、第１及び第２の環状体を鎖状に連結してなる連結部を備え、前記連結部には、本発明のカバー体が被覆されていることを特徴としている。
【００２０】
本発明の装身具においては、複数個の前記連結部を備え、各連結部には、それぞれ本発明のカバー体が被覆されていることも好ましい。
【発明の効果】
【００２１】
本発明によれば、第１の環状体、第２の環状体及びカバー体を相互に回転不能にして連結部を被覆するので、連結部を保護することができるとともに、環状体に対する連結糸（芯糸など）の結び目を被覆することができ、芯糸の汚れやほつれを防止したり、ほつれを見えなくしたりすることができるので、装身具の見栄えを向上させることができる。また、連結部を手で持ちやすくなるため、連結部に連結された留め金具などの操作性を高めることができ、使いやすくなる。更に、装身具の見栄え及びデザイン性を向上させることにより商品価値を高めることができる。例えば、カバー体にも装飾性を付加することにより、一層デザイン性を高めることもできる。加えて、第１の環状体、第２の環状体及びカバー体を三位一体で相互に回転不能とさせることができる。よって、連結部を境とした一方の部分が他方に対して回転してしまうことを防止することができる。更に、連結部を備える装身具の見栄えを向上させることができる。
【発明を実施するための最良の形態】
【００２２】
以下、図面を参照して、本発明に係る実施形態について説明する。
【００２３】
〔第１の実施形態〕
図１及び図２は第１の実施形態に係るカバー体１００を示す斜視図であり、このうち図１は開口端２側から見た図であり、図２は開口端２とは反対側から見た図である。図３はカバー体１００を開口端２側から見た平面図、図４はカバー体１００を備える装身具として例示するネックレス１５０の要部を示す図である。
【００２４】
先ず、図４を参照して、本実施形態に係るネックレス１５０の構成について説明する。
【００２５】
ネックレス１５０は、複数個の珠型の装飾部材１５３を連ねて構成された連珠体１５２と、留め金具１５１と、を備えて構成されている。
【００２６】
各装飾部材１５３には、各々の中心を直線状に貫く貫通穴（図示略）が形成されている。そして、各装飾部材１５３の貫通穴に対して順次、芯糸（図示略）を通すことにより、該芯糸により各装飾部材１５３が相互に連結されている。これにより、各装飾部材１５３により連珠体１５２が構成されている。なお、各装飾部材１５３を連結する芯糸としては、例えば、ナイロン糸或いは絹糸などが用いられている。
【００２７】
留め金具１５１は、本体部１５１Ａと、この本体部１５１Ａ内に差し込まれて係止されるピン状の差込部材１５１Ｂと、を備えて構成されている。本体部１５１Ａは、差込部材１５１Ｂをくわえ込むようにして挟持し、内部に係止させるようになっている。図４に示すのは、差込部材１５１Ｂが本体部１５１Ａ内に差し込まれて係止された状態である。
【００２８】
連結部５０は、従来技術（図１８及び図１９参照）と同様に構成されている。すなわち、連結部５０は、相互に鎖状に連結された複数の環状体（例えば２つの環状体４，５）からなる。なお、図４において、右側の連結部５０の環状体５は、カバー体１００により隠れて見えない状態であり、図示されていない。
【００２９】
各々の連結部５０の環状体４は、例えば、留め金具１５１の本体部１５１Ａ及び差込部材１５１Ｂとそれぞれ一体形成されている。他方、各々の連結部５０の環状体５には、連珠体１５２を構成する上記芯糸（図示略）の一端ずつがそれぞれ連結されている。
【００３０】
これにより、連珠体１５２の一端部は連結部５０を介して留め金具１５１の本体部１５１Ａに対して連結され、同様に、連珠体１５２の他端部は連結部５０を介して留め金具１５１の差込部材１５１Ｂに連結されている。
【００３１】
次に、本実施形態に係るカバー体１００の構成について説明する。
【００３２】
図１及び図３に示すように、第１の実施形態に係るカバー体１００の本体１０は、内空断面が十字型の凹室状に形成されている。つまり、本体１０には、断面十字型の穴１が形成されている。
【００３３】
この穴１は、内部に連結部５０の環状体（第１の環状体）５が挿入される第１の部分１Ａと、内部に連結部５０の環状体（第２の環状体）４が挿入される第２の部分１Ｂと、からなる。
【００３４】
第１の部分１Ａと第２の部分１Ｂとは、相互に直角に交わっており、第１の部分１Ａの方が第２の部分１Ｂよりも深く形成されている。
【００３５】
ここで、第１の部分１Ａは、内部に環状体５が挿入された状態で、必要最小限の適度な遊びがあるような寸法に形成され、同様に、第２の部分１Ｂは、内部に環状体４が挿入された状態で、必要最小限の適度な遊びがあるような寸法に形成されている。
【００３６】
また、図２及び図３に示すように、本体１０の開口端２とは反対側には、連珠体１５２を構成する上記芯糸（図示略）を通すための挿通穴３が形成されている。
【００３７】
なお、カバー体１００は、指先でつまみやすい大きさに形成されているとともに、指先の当たり（手触り）が良いように、外周面が丸みを帯びている。
【００３８】
また、開口端２は、例えば、平坦面に形成されている。
【００３９】
以上のような構成のカバー体１００が、各々の連結部５０に外挿されている。
【００４０】
すなわち、カバー体１００の穴１の第１の部分１Ａが連結部５０の環状体５に外挿され、カバー体１００の穴１の第２の部分１Ｂが連結部５０の環状体４に外挿されている。これにより、連結部５０の環状体４及び５が、相互に直交した状態となって、ほぼ位置決めされ、相互に回転不能となっている。しかも、カバー体１００も、環状体４及び５からなる連結部５０に対して回転不能となっている。すなわち、環状体４、環状体５及びカバー体１００が三位一体で相互に回転不能となっている。なぜなら、第１及び第２の部分１Ａ、１Ｂの寸法は、環状体５及び４に対して、必要最小限の適度な遊びだけがあるような寸法とされているからである。
【００４１】
ここで、環状体４と環状体５とは、各々の周方向（面方向）に対する交差方向において、相互に回転不能となっており、環状体４は、環状体５に対して、当該環状体４の周方向（面方向）には回転可能となっている。従って、留め金具１５１とカバー体１００とは、相互に関節のごとく回転することができる。
【００４２】
更に、連珠体１５２を構成する上記芯糸（図示略）が、カバー体１００の本体１０の外側より、挿通穴３を通して穴１内に挿入され、穴１の内部にて環状体５に対して連結されている（結ばれている）。
【００４３】
このため、環状体５に対する芯糸の結び目もカバー体１００により被覆されている。
【００４４】
以上のような第１の実施形態によれば、カバー体１００、環状体４及び環状体５を相互に回転不能にして当該カバー体１００により連結部５０を被覆するので、連結部５０を境とした一方の部分、すなわち連珠体１５３及び留め金具１５１のうちの一方が、他方に対して回転してしまうことを防止することができる。
【００４５】
よって、例えば、留め金具１５１のデザインに表と裏がある場合にも、カバー体１００のデザインと留め金具１５１のデザインとが裏返ってしまうことを防止できる。
【００４６】
更に、カバー体１００により連結部５０を被覆したので、連結部５０が露出している場合よりもネックレス１５０の見栄えを向上させることができる。
【００４７】
また、カバー体１００により連結部５０を覆うことにより、該連結部５０を外部からの衝撃から保護することができる。
【００４８】
加えて、カバー体１００を手で持って留め金具１５１を操作（差込部材１５１Ｂの取り外し及び差し込み操作）することができるので、連結部５０だけの場合よりも操作性が向上する。
【００４９】
また、カバー体１００は指先でつまみやすい形状及び寸法であるので、指先の当たり（手触り）が良いので、その点でも留め金具１５１の操作がし易い。
【００５０】
更に、カバー体１００により、環状体５に対する芯糸の結び目が被覆されているので、結び目の汚れやほつれが見えなくなり、ネックレス１５０の見栄えが向上するとともに、結び目を保護することができる。
【００５１】
〔第２の実施形態〕
次に、図５乃至図８を参照して、第２の実施形態について説明する。
【００５２】
図５は第２の実施形態に係るカバー体２００を示す側面図、図６はカバー体２００を示す斜視図（開口端側から見た斜視図）、図７はカバー体２００を備える装身具として例示するネックレス２５０を示す全体図、図８はネックレス２５０の要部拡大図、図９はネックレス２５０の要部拡大断面図である。
【００５３】
先ず、図７乃至図９を参照して、本実施形態に係るネックレス２５０の構成について説明する。
【００５４】
図７に示すように、ネックレス２５０は、例えば、複数個の珠型の装飾部材１５３を連ねて構成された連珠体１５２と、この連珠体１５２の一端に連結された留め金具２６０と、連珠体１５２の他端に連結された装飾体２７０と、を備えて構成されている。
【００５５】
図９に示すように、各装飾部材１５３には、各々の中心を直線状に貫く貫通穴１５３Ａが形成されている。そして、各装飾部材１５３の貫通穴１５３Ａに対して順次、芯糸１５４を通すことにより、該芯糸１５４により各装飾部材１５３が相互に連結されている。これにより、各装飾部材１５３によって連珠体１５２が構成されている。なお、各装飾部材１５３を連結する芯糸１５４としては、例えば、ナイロン糸或いは絹糸などが用いられている。
【００５６】
また、留め金具２６０は、連珠体１５２の何れかの箇所を挟持可能に構成されており、連珠体１５２の何れかの箇所を挟持することにより、その部分に留め付けられる。
【００５７】
留め金具２６０が連珠体１５２に留め付けられることにより、ネックレス１５０は図７に示すように環状となって、使用者の首にかけられる状態となる。
【００５８】
また、図８に示すように、装飾体２７０と連珠体１５２とを連結する連結部５０には、本実施形態に係るカバー体２００が被覆されている。
【００５９】
なお、本実施形態の場合、連結部５０の環状体４は、例えば、装飾体２７０と一体形成されている。
【００６０】
また、本実施形態の場合、図９に示すように、芯糸１５４の結び目１５４Ａをカバー体２００の挿通穴３よりも大径に形成し、その結び目１５４Ａをカバー体２００の外側に配置することにより、連結部５０（環状部４及び５）からのカバー体２００の抜けを防止している。
【００６１】
次に、本実施形態に係るカバー体２００の構成について説明する。
【００６２】
図５及び図６に示すように、第２の実施形態に係るカバー体１００の本体１０は、内空断面が略長方形状の凹室状に形成されている。つまり、本体１０には、断面略長方形状の穴１が形成されている。
【００６３】
この穴１は、内部に連結部５０の環状体（第１の環状体）５が挿入される部分である。
【００６４】
更に、本体１０の左右両側面には、それぞれ切欠部６が形成されている。各切欠部６は、相互の略同一の寸法であり、それぞれ、穴１よりも浅く形成されている。
【００６５】
この一対の切欠部６は、それらの協働により連結部５０の環状体（第２の環状体）４をくわえ込むようにして、該環状体４に外挿される。
【００６６】
ここで、穴１は、内部に環状体５が挿入された状態でほとんど遊びがないような寸法に形成され、同様に、切欠部６は、内部に環状体４が挿入された状態でほとんど遊びがないような寸法に形成されている。
【００６７】
また、図５に示すように、本体１０の開口端２とは反対側には、連珠体１５２を構成する芯糸１５４（図９参照）を通すための挿通穴３が形成されている。
【００６８】
なお、カバー体２００は、指先でつまみやすい大きさに形成されているとともに、指先の当たり（手触り）が良いように、外周面が丸みを帯びている。
【００６９】
また、開口端２は、例えば、平坦面に形成されている。
【００７０】
以上のような構成のカバー体２００が、連結部５０に外挿されている。
【００７１】
すなわち、図８及び図９に示すように、カバー体２００の穴１が連結部５０の環状体５に外挿され、カバー体２００の一対の切欠部６が連結部５０の環状体４に外挿されている。これにより、連結部５０の環状体４及び５が、相互に直交した状態となって、ほぼ位置決めされ、相互に回動不能となっている。しかも、カバー体２００も、環状体４及び５からなる連結部５０に対して回動不能となっている。すなわち、環状体４、環状体５及びカバー体２００が三位一体で相互に回動不能となっている。なぜなら、穴１及び切欠部６の寸法は、環状体５及び４に対してほとんど遊びがないような寸法とされているからである。
【００７２】
更に、図９に示すように、連珠体１５２を構成する芯糸１５４が、カバー体２００の本体１０の外側より、挿通穴３を通して穴１内に挿入され、穴１の内部にて環状体５に対して連結されている（結ばれている）。
【００７３】
以上のような第２の実施形態によれば、上記の第１の実施形態と同様の効果が得られる。
【００７４】
〔第３の実施形態〕
次に、図１０乃至図１２を参照して、第３の実施形態について説明する。
【００７５】
図１０は第３の実施形態に係る第１の例のネックレスの要部を示す図、図１１は第３の実施形態に係る第２の例のネックレスの要部を示す図、図１２は第３の実施形態に係る第３の例のネックレスの要部を示す図である。
【００７６】
図１０乃至図１２に示す第３の実施形態に係るネックレスは、そのデザイン性だけが上記の第１の実施形態に係るネックレス１５０と異なり、その他の点では上記の第１の実施形態に係るネックレス１５０と同様である。
【００７７】
すなわち、図１０に示すように、第３の実施形態に係る第１の例のネックレスは、上記の第１の実施形態に係るカバー体１００に代えて、カバー体３００Ａを備える点でのみ、第１の実施形態に係るネックレス１５０と異なる。
【００７８】
また、カバー体３００Ａは、その外周面の全面に装飾（例えば、レリーフ）が施されている点でのみ、上記の第１の実施形態に係るカバー体１００、又は、上記の第２の実施形態に係るカバー体２００と異なり、その他の点では、上記の第１の実施形態に係るカバー体１００、又は、上記の第２の実施形態に係るカバー体２００と同様に構成されている。
【００７９】
なお、図１０の例では、留め金具１５１の本体部１５１Ａにも、カバー体３００Ａと調和するような装飾が施されている。
【００８０】
同様に、図１１に示すように、第３の実施形態に係る第２の例のネックレスは、上記の第１の実施形態に係るカバー体１００に代えて、カバー体３００Ｂを備える点でのみ、第１の実施形態に係るネックレス１５０と異なる。
【００８１】
また、カバー体３００Ｂは、その外周面の全面に装飾（例えば、花柄のレリーフ）が施されている点でのみ、上記の第１の実施形態に係るカバー体１００、又は、上記の第２の実施形態に係るカバー体２００と異なり、その他の点では、上記の第１の実施形態に係るカバー体１００、又は、上記の第２の実施形態に係るカバー体２００と同様に構成されている。
【００８２】
同様に、図１２に示すように、第３の実施形態に係る第３の例のネックレスは、上記の第１の実施形態に係るカバー体１００に代えて、カバー体３００Ｃを備える点でのみ、第１の実施形態に係るネックレス１５０と異なる。
【００８３】
また、カバー体３００Ｃは、その全体形状にデザイン性を持たせた（例えば、全体形状が立体的なハート形となっている）点でのみ、上記の第１の実施形態に係るカバー体１００、又は、上記の第２の実施形態に係るカバー体２００と異なり、その他の点では、上記の第１の実施形態に係るカバー体１００、又は、上記の第２の実施形態に係るカバー体２００と同様に構成されている。
【００８４】
以上のような第３の実施形態によれば、カバー体３００Ａ、３００Ｂ、３００Ｃがデザインの表現物とされているので、装飾部材１５３や留め金具１５１の連結部を見栄え良く飾り、装身具の、商品としての格（ランク）を高めることができる。
【００８５】
〔第４の実施形態〕
次に、図１３及び図１４を参照して、第４の実施形態について説明する。
【００８６】
図１３は第４の実施形態に係るカバー体４００を示す斜視図、図１４は第４の実施形態に係る装身具における連結部（環状体４及び５）及びカバー体４００の構造を示す断面図である。
【００８７】
図１４に示すように、芯糸１５４の結び目１５４Ａをカバー体４００の挿通穴３よりも大径に形成し、その結び目１５４Ａをカバー体４００の外側に配置することにより、連結部５０（環状部４及び５）からのカバー体４００の抜けを防止する場合、結び目１５４Ａが緩んだ場合、カバー体４００が連結部５０から抜ける虞がある。
【００８８】
そこで、第４の実施形態に係るカバー体４００は、本体１０の開口端側に、折り曲げ可能な爪状部４０１，４０２を備えている。
【００８９】
これら爪状部４０１，４０２は、初期状態では、図１３に示すように、本体１０から外方に向けて突出した状態に形成されている。
【００９０】
このようなカバー体４００を、上記の各実施形態と同様に連結部（環状体４及び５）に外挿した後で、図１４に示すように本体１０の開口端を閉塞する方向に爪状部４０１，４０２を折り曲げ加工することにより、これら爪状部４０１，４０２により連結部の環状体４が脱落防止され、従って、該連結部からのカバー体４００の脱落が防止される。
【００９１】
以上のような第４の実施形態によれば、カバー体４００には、当該カバー体４００を連結部（環状体４及び５）より抜け止めするための爪状部４０１，４０２が、本体１０の開口端部に形成されているので、当該カバー体４００により連結部を被覆した後で爪状部４０１，４０２を折り曲げ加工することにより、当該カバー体４００を連結部より抜け止めすることができる。
【００９２】
〔第５の実施形態〕
次に、図１５及び図１６を参照して、第５の実施形態について説明する。
【００９３】
図１５は第５の実施形態の第１の例に係るカバー体５００を備える装身具における連結部５０及びカバー体５００の構造を示す断面図、図１６は第５の実施形態の第２の例に係るカバー体５１０を備える装身具における連結部及びカバー体５１０の構造を示す断面図である。
【００９４】
先ず、図１５を参照して、第５の実施形態の第１の例を説明する。
【００９５】
図１５に示すように、第５の実施形態の第１の例に係るカバー体５００には、芯糸（線材）１５４を挿通させる挿通穴（第１の穴）５０１が当該カバー体５００の内外を貫通して形成されている。
【００９６】
更に、カバー体５００には、挿通穴５０１に対して直交する止着穴（第２の穴）５０２が、当該カバー体５００の内部（穴１の内部）で挿通穴５０１と交わるようにして、当該カバー体５００の内外を貫通して形成されている。
【００９７】
なお、図１５に示す第１の例の場合、止着穴５０２は、ボルトピン５０３が螺入されるボルト螺入穴であり、内周面にはネジ山が形成されている。
【００９８】
そして、芯糸１５４を、挿通穴５０１を介してカバー体５００の外部から内部（穴１の内部）に導き、該芯糸１５４を環状体５に絡めた状態で、止着穴５０２内にボルトピン５０３が螺入されている。
【００９９】
ここで、ボルトピン５０３は、その先端が挿通穴５０１の内壁に突き当たるまで、止着穴５０２内に螺入されている。
【０１００】
これにより、ボルトピン５０３により該芯糸１５４がカバー体５００の内部に固定されているとともに、カバー体５００が連結部５０（環状体４及び５からなる）より抜け止めされている。
【０１０１】
次に、図１６を参照して、第５の実施形態の第２の例を説明する。
【０１０２】
図１６に示すように、第５の実施形態の第２の例に係るカバー体５１０の止着穴５０２は、ボルト螺入穴ではなく、テーパーピン５０４が嵌め込まれるものである。従って、内周面にネジ山が形成されていない。その他の点では、第５の実施形態の第２の例に係るカバー体５１０は、上記の第５の実施形態の第１の例に係るカバー体５００と同様に構成されている。
【０１０３】
第２の例の場合、芯糸１５４を、挿通穴５０１を介してカバー体５００の外部から内部（穴１の内部）に導き、該芯糸１５４を環状体５に絡めた状態で、止着穴５０２内にテーパーピン５０４が嵌め込まれている。
【０１０４】
ここで、テーパーピン５０４は、その先端が挿通穴５０１の内壁に突き当たるまで、止着穴５０２内に押しこまれている。
【０１０５】
これにより、テーパーピン５０４によって該芯糸１５４がカバー体５１０の内部に固定されているとともに、カバー体５１０が連結部５０（環状体４及び５からなる）より抜け止めされている。
【０１０６】
以上のような第５の実施形態によれば、ボルトピン５０３或いはテーパーピン５０４などの止着部材により、芯糸１５４をカバー体５００，５１０の内部に固定することができるとともに、カバー体５００，５１０を連結部５０より抜け止めすることができる。
【０１０７】
なお、上記の第５の実施形態では、カバー体５００及びカバー体５１０の基本構造が上記の第２の実施形態に係るカバー体２００と同様である例（本体１０の両側壁に切欠部６が形成されている）を説明したが、カバー体５００及びカバー体５１０の基本構造は、上記の第１の実施形態に係るカバー体１００と同様（本体１０に断面十字型の穴１が形成されている）であっても良い。
【０１０８】
〔第６の実施形態〕
次に、図１７を参照して、第６の実施形態について説明する。
【０１０９】
図１７は第６の実施形態に係る装身具として例示するネックレス６００の要部を示す図である。
【０１１０】
図１７に示すように、第６の実施形態に係る装身具として例示するネックレス６００は、連珠体６３０と、留め金具６１０と、を備えている。
【０１１１】
留め金具６１０は、本体部６１０Ａと、この本体部６１０Ａ内に差し込まれて係止される差込部材６１０Ｂと、を備えて構成されている。本体部６１０Ａは、差込部材６１０Ｂをくわえ込むようにして挟持し、内部に係止させるようになっている。図１７に示すのは、差込部材６１０Ｂが本体部６１０Ａ内に差し込まれて係止された状態である。
【０１１２】
また、留め金具６１０の本体部６１０Ａには、例えば、２つの環状部４が一体的に形成され、同様に、留め金具６１０の差込部材６１０Ｂにも、２つの環状部４が一体的に形成されている。
【０１１３】
また、各環状部４には、それぞれ図示しない環状部５を介して、連珠体６３０が連結されている。
【０１１４】
そして、各連結部（環状部４及び図示しない環状部５からなる）は、例えば、上記の第２の実施形態に係るカバー体２００により覆われている。
【０１１５】
以上のような第６の実施形態によれば、ネックレス６００が複数のカバー体２００を備えているので、該ネックレス６００の見栄えを一層向上させることができる。
【０１１６】
なお、上記の各実施形態では、本発明に係る装身具としてネックレスを例示したが、本発明はこの例に限らず、例えば、ブレスレットやアンクレットなど、その他の装身具にも同様に適用可能である。
【図面の簡単な説明】
【０１１７】
【図１】第１の実施形態に係るカバー体を示す斜視図である（開口端側から見た斜視図）。
【図２】第１の実施形態に係るカバー体を示す斜視図である（開口端とは反対側から見た斜視図）。
【図３】第１の実施形態に係るカバー体を示す平面図である（開口端側を示す平面図）。
【図４】第１の実施形態に係る装身具の要部を示す図である。
【図５】第２の実施形態に係るカバー体を示す側面図である。
【図６】第２の実施形態に係るカバー体を示す斜視図である（開口端側から見た斜視図）。
【図７】第２の実施形態に係る装身具を示す全体図である。
【図８】第２の実施形態に係る装身具の要部拡大図である。
【図９】第２の実施形態に係る装身具における連結部及びカバー体の構造を示す断面図である。
【図１０】第３の実施形態の第１の例に係る装身具の要部を示す図である。
【図１１】第３の実施形態の第２の例に係る装身具の要部を示す図である。
【図１２】第３の実施形態の第３の例に係る装身具の要部を示す図である。
【図１３】第４の実施形態に係るカバー体を示す斜視図である（開口端側から見た斜視図）。
【図１４】第４の実施形態に係る装身具における連結部及びカバー体の構造を示す断面図である。
【図１５】第５の実施形態の第１の例に係る装身具における連結部及びカバー体の構造を示す断面図である。
【図１６】第５の実施形態の第２の例に係る装身具における連結部及びカバー体の構造を示す断面図である。
【図１７】第６の実施形態に係る装身具の要部を示す図である。
【図１８】従来の装身具の要部を示す図である。
【図１９】従来の装身具における連結部の構造を示す斜視図である。
【符号の説明】
【０１１８】
１００    カバー体
１０      本体（凹室）
１        穴
４        環状体（第２の環状体）
５        環状体（第１の環状体）
５０      連結部
１５０    ネックレス（装身具）
２００    カバー体
６        切欠部
２５０    ネックレス（装身具）
３００Ａ  カバー体
３００Ｂ  カバー体
３００Ｃ  カバー体
４００    カバー体
４０１    爪状部
４０２    爪状部
５００    カバー体
５０１    挿通穴（第１の穴）
５０２    止着穴（第２の穴）
５０３    ボルトピン
５０４    テーパーピン
５１０    カバー体
６００    ネックレス（装身具）
【図１】
2006198347.tif 000003
【図２】
2006198347.tif 000004
【図３】
2006198347.tif 000005
【図４】
2006198347.tif 000006
【図５】
2006198347.tif 000007
【図６】
2006198347.tif 000008
【図７】
2006198347.tif 000009
【図８】
2006198347.tif 000010
【図９】
2006198347.tif 000011
【図１０】
2006198347.tif 000012
【図１１】
2006198347.tif 000013
【図１２】
2006198347.tif 000014
【図１３】
2006198347.tif 000015
【図１４】
2006198347.tif 000016
【図１５】
2006198347.tif 000017
【図１６】
2006198347.tif 000018
【図１７】
2006198347.tif 000019
【図１８】
2006198347.tif 000020
【図１９】
2006198347.tif 000021